(57)【要約】    【課題】  くじ的要素を加味した新規な電力料金計算システムを提供する。    【解決手段】  データベースを有するホストコンピュータシステム、顧客データを入力し、該顧客データを前記データベースに蓄積する顧客センターのコンピュータシステム及び電力計算を実行する料金計算センターのコンピュータシステムとを有する電力供給側のコンピュータシステムと、顧客の電力使用場所から電力量計の検針データを送信する携帯端末機と、前記電力供給側のコンピュータシステムからの情報に基づき集金された電力料金に関するデータを該コンピュータシステムに送信する金融機関等のコンピュータシステムとを備えた電力料金計算システムにおいて、前記電力供給側のコンピュータシステムは、くじ的要素を加味して電力料金を決定する。【選択図】  図１
2005108049.tif 000002
【特許請求の範囲】
【請求項１】
くじ的要素を加味して公共料金を決定する手段を備えた公共料金計算システム。
【請求項２】
請求項１に記載の公共料金計算システムにおいて、
前記くじ的要素を加味して公共料金を決定する手段は、乱数又はラッキーナンバーと公共サービスの使用量に基づく比較対象の数字とを比較して、一致した場合には所定額の減額を行う、公共料金計算システム。
【請求項３】
請求項２に記載の公共料金計算システムにおいて、
前記公共料金が電力料金の場合、
前記比較対象の数字は、電力量の今回指示数又は電力使用量の差引から特定される、公共料金計算システム。
【請求項４】
請求項２に記載の公共料金計算システムにおいて、
前記ラッキーナンバーは、公共サービスを受ける者に関する事象に基づき決定される、公共料金計算システム。
【請求項５】
請求項１に記載の公共料金計算システムにおいて、
前記公共料金は、基本料金部分と使用量に応じた使用料金部分とからなり、前記所定の減額は、該基本料金部分と該使用料金部分とに対して行われる、公共料金計算システム。
【請求項６】
電力供給側の１又は２以上のコンピュータシステムと、
顧客の電力使用場所から電力量計の検針データを送信する携帯端末機と、
前記電力供給側のコンピュータシステムからの情報に基づき集金された電力料金に関するデータを該コンピュータシステムに送信する金融機関等のコンピュータシステムとを備えた電力料金計算システムにおいて、
前記電力供給側のコンピュータシステムは、くじ的要素を加味して電力料金を決定する、電力料金計算システム。
【請求項７】
請求項６に記載の電力料金計算システムにおいて、前記電力供給側の１又は２以上のコンピュータシステムは、
データベースを有するホストコンピュータシステムと、
顧客データを入力し、該顧客データを前記データベースに蓄積する顧客センターのコンピュータシステムと、
電力計算を実行する料金計算センターのコンピュータシステムとを有する、電力料金計算システム。
【請求項８】
請求項６に記載の電力料金計算システムにおいて、
前記くじ的要素を加味して電力料金を決定する際に、乱数又はラッキーナンバーと電力使用量に基づく比較対象の数字とを比較して、一致した場合には所定額の減額を行う、電力料金計算システム。
【請求項９】
請求項８に記載の電力料金計算システムにおいて、
前記比較対象の数字は、電力量の今回指示数又は電力使用量の差引から特定される、電力料金計算システム。
【請求項１０】
請求項８に記載の電力料金計算システムにおいて、
前記ラッキーナンバーは、電力使用者に関する事象に基づき決定される、電力使用者の誕生日又は結婚記念日、電話番号、住所の番地及び任意に届け出た番号を含むから成る群から選択されたいずれかにより決定される、電力料金計算システム。
【請求項１１】
請求項７に記載の電力料金計算システムにおいて、
前記データベースは、電力料金計算に使用される複数の情報ファイルを有し、
前記料金計算センターのコンピュータシステムは、前記情報ファイルのデータを使用して電力料金の計算を実行する、電力料金計算システム。
【請求項１２】
請求項７に記載の電力料金計算システムにおいて、
前記データベースは、少なくとも、料金計算マスタファイル、顧客情報ファイル、検針情報ファイル及び集金／未収情報ファイルを有している、電力料金計算システム。
【請求項１３】
請求項１２に記載の電力料金計算システムにおいて、
前記顧客情報ファイルは、少なくとも、顧客センターのコンピュータシステムから入力された顧客データを有し、該顧客データには、少なくとも電力使用者の誕生日、結婚記念日、電話番号、住所の番地及び任意に届け出た番号のいずれかが含まれている、電力料金計算システム。
【請求項１４】
請求項１２に記載の電力料金計算システムにおいて、
前記検針情報ファイルは、少なくとも、検針員から入力された検針データを有し、該検針データには、少なくとも今回指示数及び差引が含まれている、電力料金計算システム。
【請求項１５】
くじ的要素を加味した公共料金計算方法に於いて、
基本料金部分を決定し、
公共サービスの使用量を決定し、
決定された使用量に基づき、使用料金部分を算出し、
前記基本料金部分と前記使用料金部分を合計し、この合計金額に対してくじ的要素を加味した計算を行い、
くじ的要素を加味した金額に基づき、請求すべき公共料金を決定する、諸段階を含む、公共料金計算方法。
【請求項１６】
コンピュータで読み取り且つ実行可能な公共料金計算プログラムに於いて、前記コンピュータに
基本料金部分を決定、
公共サービスの使用量を決定、
決定された使用量に基づき、使用料金部分を算出、
前記基本料金部分と前記使用料金部分を合計し、この合計金額に対してくじ的要素を加味した計算を行い、及び
くじ的要素を加味した金額に基づき、請求すべき公共料金の決定
を実行させるための公共料金計算プログラム。
【請求項１７】
請求項１６に記載の公共料金計算プログラムを記録した記録媒体。
【発明の詳細な説明】
【技術分野】
【０００１】
本発明は、公共料金計算方法、公共料金計算システム、これに利用される公共料金計算プログラム及びこれを記録した記録媒体に関し、更に具体的には、例えば電力料金のような公共料金を決定するに際し、くじ（籤）的要素を加味して公共料金を計算する公共料金計算システム等に関する。
【背景技術】
【０００２】
公共料金の一つである電力料金を例にとって説明すると、現在、我が国の電力供給システムの特徴は、沖縄を除いた全国を九つの供給地域に分割し、夫々の地域に対する供給権と供給義務をもつ、いわゆる９電力体制が取られている。９電力会社は、北海道、東北、東京、中部、北陸、関西、中国（本出願人）、四国、九州の各電力会社からなっている。これら各電力会社（以下、電力供給者、電力供給会社ともいう。）は、原子力、火力、水力等のエネルギーを利用して発電し、また非常時には他社からの受電・融通等により、自己の供給地域内の電力需要者（以下、顧客、消費者ともいう。）に対して安定供給に努めている。
【０００３】
この電力供給の対価の徴収、即ち電力料金計算システムは、概して使用量に応じた従量制である。即ち、契約種別（使用電力）、契約容量（使用最大アンペア数）に応じた基本料金と、使用期間（前回検針時から今回検針時までの期間）の使用電力料金との合計によって決定されている。
【０００４】
なお、本発明者は、以下に説明するくじ的要素を加味して電力料金を計算する電力料金計算システム等を対象とする公知文献、公開された特許文献の存在を知らない。
【発明の開示】
【発明が解決しようとする課題】
【０００５】
今までは、９電力体制により各電力供給会社が、夫々の地域に対する供給権と供給義務をもち、電力料金に関しても認可制が採用されていた。
【０００６】
しかし、最近の各種の分野における自由化の波と共に、電力供給体制にも自由化の機運が高まっている。
【０００７】
このような状況下では、電力供給会社も、電力使用者に対して魅力ある存在となっていなければならない。
【０００８】
上述のように、電力料金に関しては、従来、従量制で決定されていた。使用量に応じて電力料金を決定する従量制は、基本的に公平な制度である。しかし、このような制限下で、電力料金に関して少しでも魅力あるものにする必要がある。
【０００９】
そこで、電力使用者の注目を集めるような電力料金計算システムの開発が望まれている。
【課題を解決するための手段】
【００１０】
上述した状況を鑑みて、本発明は、公共サービスを受ける者の注目を集めるような新規な公共料金計算システムを提供することを目的とする。
【００１１】
更に、本発明は、くじ的要素を加味した新規な公共料金計算システムを提供することを目的とする。
【００１２】
更に、本発明は、現状の公共料金計算システムを大幅に変更することなく、くじ的要素を加味した新規な公共料金計算システムを提供することを目的とする。
【００１３】
更に、本発明は、くじ的要素を加味した新規な公共料金計算システムに使用されるコンピュータシステム、コンピュータプログラム、このコンピュータプログラムを記録した記録媒体等を提供することを目的とする。
【００１４】
本発明に係る公共料金計算システムは、くじ的要素を加味して公共料金を決定する手段を備えている。
【００１５】
更に本発明に係る公共料金計算システムは、上述の公共料金計算システムであって、前記くじ的要素を加味して公共料金を決定する手段は、乱数又はラッキーナンバーと電力使用量に基づく比較対象の数字とを比較して、一致した場合には所定額の減額を行っている。
【００１６】
更に本発明に係る公共料金計算システムは、上述の公共料金計算システムであって、前記公共料金が電力料金の場合、前記比較対象の数字は、電力量の今回指示数又は電力使用量の差引から特定される。
【００１７】
更に本発明に係る公共料金計算システムは、上述の公共料金計算システムであって、前記ラッキーナンバーは、公共サービスを受ける者に関する事象に基づき決定される。この公共サービスを受ける者に関する事象に基づき決定されるラッキーナンバーは、例えば、誕生日、結婚記念日、電話番号、住所の番地及び任意に届け出た番号等から成る群から選択された１又は２以上のいずれかの番号に基づき決定される番号にすることが出来る。
【００１８】
更に本発明に係る公共料金計算システムは、上述の公共料金計算システムであって、前記電力料金は基本料金部分と使用量に応じた使用料金部分とからなり、前記所定の減額は、該基本料金部分と該使用料金部分とに対して行われる。
【００１９】
更に本発明に係る電力料金計算システムは、電力供給側の１又は２以上のコンピュータシステムと、顧客の電力使用場所から電力量計の検針データを送信する携帯端末機と、
前記電力供給側のコンピュータシステムからの情報に基づき集金された電力料金に関するデータを該コンピュータシステムに送信する金融機関等のコンピュータシステムとを備えた電力料金計算システムであって、前記電力供給側のコンピュータシステムは、くじ的要素を加味して電力料金を決定する。
【００２０】
更に本発明に係る電力料金計算システムは、上述の電力料金計算システムであって、前記電力供給側の１又は２以上のコンピュータシステムは、データベースを有するホストコンピュータシステムと、顧客データを入力し、該顧客データを前記データベースに蓄積する顧客センターのコンピュータシステムと、電力計算を実行する料金計算センターのコンピュータシステムとを有する。
【００２１】
更に本発明に係るくじ的要素を加味した電力料金計算方法は、基本料金部分を決定し、
電力使用量を決定し、決定された電力使用量に基づき、使用料金部分を算出し、
前記基本料金部分と前記使用料金部分を合計し、この合計金額に対してくじ的要素を加味し、くじ的要素を加味した金額に基づき、請求すべき電力料金を決定する、諸段階を含む。
【００２２】
更に本発明に係る電力料金計算プログラムは、コンピュータで読み取り且つ実行可能な公共料金計算プログラムであって、前記コンピュータに、基本料金部分を決定、使用量を決定、決定された使用量に基づき、使用料金部分を算出、前記基本料金部分と前記使用料金部分を合計し、この合計金額に対してくじ的要素を加味、くじ的要素を加味した金額に基づき、請求すべき公共料金を決定、を実行させる。
【００２３】
更に本発明に係る電力料金計算プログラムを記録した記録媒体は、上述の電力料金計算方法を記録した記録媒体である。
【００２４】
本発明により、公共料金の決定の際に、くじ的要素が加味されることにより、公共サービス供給会社も、使用者に対して魅力ある存在となる。更に、例えば電力料金に関しては、基本的に公平な従量制の下で、電力料金に関してくじ的要素が加味されることにより、少しでも魅力あるものとなる。
【発明の効果】
【００２５】
本発明によれば、サービスを受ける者の注目を集めるような新規な公共料金計算システムを提供することが出来る。
【００２６】
更に、本発明によれば、くじ的要素を加味した新規な公共料金計算システムを提供することが出来る。
【００２７】
更に、本発明によれば、現状の公共料金計算システムを大幅に変更することなく、くじ的要素を加味した新規な公共料金計算システムを提供することが出来る。
【００２８】
更に、本発明によれば、くじ的要素を加味した新規な公共料金計算システムに使用されるコンピュータシステム、コンピュータプログラム、このコンピュータプログラムを記録した記録媒体等を提供することが出来る。
【発明を実施するための最良の形態】
【００２９】
以下、本発明に係る公共料金計算システム、料金計算方法、これに利用される公共料金計算プログラム及びこれを記録した記録媒体に関する実施形態について、添付の図面を参照しながら詳細に説明する。この場合、公共料金として電力料金を例にとって説明する。なお、図面中、同じ要素に対しては同じ符号を付して、重複した説明を省略する。
［電力料金計算システム］
図１は、本実施形態に係るくじ的要素を加味した電力料金計算システムの概要を示したブロック図である。
【００３０】
図１に示すように、電力料金計算システムは、複数の顧客１-1、１-2、…、１-nの所在場所から夫々の電力料金計算に関する検針データ等を回線（ネットワーク）通して電力供給側のシステムと送受信する携帯端末７と、電力計算のための各種のデータ、電力料金計算結果、電力料金回収データ等を蓄積したデータベース６を有する電力供給側のホストコンピュータシステム４と、顧客１に対して窓口になっている顧客センターに設置され、ホストコンピュータシステム４に接続されたコンピュータシステム３と、携帯端末７からの検針データ等及びホストコンピュータシステム４内のデータベース６に蓄積された顧客データとに基づいて、くじ的要素を加味した電力料金計算を行う料金計算センターのコンピュータ９と、金融機関・コンビニ（「コンビニエンスストア」の略。）に設置され、ホストコンピュータシステム４からの指示・情報に基づいて各顧客から料金回収業務を実行する、ホストコンピュータシステム４に接続された金融機関計算機システム１２とを含んでいる。
【００３１】
ここで、複数の顧客１−１、１−２、１−３、１−４、……、１−ｎは、いわゆる電力需要者であり、この中には工場等の大口需要者、商店等の中規模の需要者及び一般家庭の小口需要者が含まれる。なお、特に誤解を生じない限り、以下の説明ではこれら複数の顧客を顧客１として説明する。各顧客の工場、商店、家屋等の送電引き込み端には、電力量計（図示せず。「積算電力量計」ともいう。）が備えられている。この電力量計は、当該顧客１の使用した電力量（単位は、一般にキロワット時[ｋＷＨ］である。）を累積的に刻々と表示している。
【００３２】
顧客１−１、１−２、１−３、１−４、……、１−ｎに対して定期的に検針員が携帯端末機７持参して訪問し、表示電力量計を検針して、携帯端末機７から検針データを、例えばネットワーク回線８を通して、料金計算センターのホストコンピュータシステム９に送信する。
【００３３】
このネットワーク回線８は、公衆電話回線、ＩＳＤＮ、インターネット回線等の種々の有線回線又は無線回線を利用することが出来る。
【００３４】
電力供給者は、一般に、顧客１に対する窓口である顧客センターにコンピュータシステム３を有している。この顧客センターとして、通常、多数の顧客の便宜を考慮して電力供給地域内に複数のセンターが用意されているが、ここでは説明を簡単にするため単一の顧客センターのみを図示して説明する。
【００３５】
更に電力供給者は、料金計算センターにコンピュータシステム９を有している。このコンピュータシステム９は、電力供給者の有するホストコンピュータシステム４に接続され、ホストコンピュータシステム４のデータベース６に蓄積された各種データを使用して、各顧客１の使用電力料金の計算業務を行っている。この計算結果は、ホストコンピュータシステム４のデータベース６に逐次蓄積される。
【００３６】
ホストコンピュータシステム４は、通常、中型又は大型のホストコンピュータ５とこれに接続されたデータベース６とを有している。このデータベース６は、電力料金に関する各種ファイルを有している。
【００３７】
図２は、このデータベース６に蓄積されたデータの一例であり、料金計算マスタファイル２１、顧客情報ファイル２２、検針情報ファイル２３、集金／未収情報ファイル２４、販売実績ファイル２５、その他のファイル２６を有している。
【００３８】
図３は、料金計算マスタファイル２１の一例を示し、各顧客に対して１レコードが割り当てられ、その顧客１に対する料金計算に必要なデータが蓄積され、且つ逐次更新されている。料金計算マスタ情報としては、例えば、ヘッダ２１０、電力供給者より各顧客に対して付与された顧客識別符号である顧客ＩＤ２１１、契約種別２１２、契約容量２１３、基本料金２１４、使用料金２１５、差引２１６、低減率Ｋ２１７、電力料金２１８、その他２１９のデータがある。これらのデータは、次に説明する各項目（テーマ）別のファイルから適宜抽出されたデータであり、その内容に更新・変更があったときは、各項目別ファイルから更新される。
【００３９】
図４は、項目別ファイルの一つである顧客情報ファイル２２を示し、主として顧客センターのコンピュータシステム３から入力された顧客データが蓄積されている。顧客情報としては、各顧客単位に１レコードが割り当てられ、例えば、ヘッダ２２０、顧客ＩＤ２２１、顧客名２２２、使用場所２２３、契約種別２２４、契約容量２２５、ラッキーナンバー２２６、その他のデータ２２７を有している。
【００４０】
このラッキーナンバー２２６としては、例えば、誕生日の月日を４桁にした数字、結婚記念日の月日を４桁にした数字、電話番号の下４桁の数字、住所を表示する何番地何号の４桁の数字、又は任意に届け出た４桁の数字等が考えられる。所望により、誕生日等は家族構成員の全員のものでもよい。このように、ラッキーナンバー２２６は、任意の桁数で、任意の事象（イベント）に起因して又は任意に指定して定めることが出来る。
【００４１】
図５は、項目別ファイルの一つである検針情報ファイル２３を示し、携帯端末７からネットワーク８を介して料金計算センターのコンピュータシステム９に入力されたデータが、転送されて蓄積されている。検針データとしては、顧客単位に１レコードが割り当てられ、例えば、ヘッダ２３０、顧客ＩＤ２３１、前回検針日２３２、今回検針日２３３、（前回検針日から今回検針日までを表す）使用期間２３４、顧客１の場所に設置された電力量計が指針する今回指示数２３５、前回指示数２３６、（使用期間２３４内に使用された電力量を表す）差引２３７、その他のデータ２３８を有している。なお、一般に、使用電力料金は月単位で料金徴収されているが、料金徴収の単位期間は、これに限定されない。この単位期間は、あくまで電力供給側と電力使用側の契約に基づいて任意に決定される。
【００４２】
図６は、項目別ファイルの一つである集金／未収情報ファイル２４を示し、顧客センター及び金融機関等のコンピュータシステム３，１２から入力された電力料金の集金／未収金データが蓄積されている。集金／未収データとしては、顧客単位に１レコードが割り当てられ、例えば、ヘッダ２４０、顧客ＩＤ２４１、自動振替の可否２４２、金融機関名２４３、口座番号２４４、自動振替状況２４５、窓口入金状況２４６、その他２４７がある。
【００４３】
図７は、項目別ファイルの一つである販売実績情報ファイル２５を示し、今回分のデータが蓄積された集金／未収情報ファイル２４のデータを、過去に遡って蓄積したデータである。販売実績情報データとしては、顧客単位に１レコードが割り当てられ、例えば、ヘッダ２５０、顧客ＩＤ２５１、今回料金２５２、集金状況２５３、前回料金２５４、集金状況２５５、前々回料金２５６、集金状況２５７、その他２５８がある。
【００４４】
図２に示す料金マスタファイル６には、これ以外にその他のファイル２６として、図８〜図１０に示したデータが蓄積されている。
【００４５】
図８は、その他のファイルに蓄積された基本料金テーブルである。電力使用者が、予め届け出た契約種別及び契約容量に従って、基本料金が定められている。
【００４６】
図９は、その他のファイルに蓄積された使用電力料金を決めるグラフである。使用電力量に拘わらず固定電力料金単価Ｆと、使用電力量が多くなる場合に段階的に単価が高額になる変動電力料金単価Ｖとがある。これらの数値はテーブルにされ蓄積されている。電力料金計算時に、変動単価Ｖ又は固定単価Ｆの何れを採用するかは、予め定められている。
【００４７】
図１０は、乱数（図１５に関連して後述する。）又はラッキーナンバー２２６に対応する係数（１−Ｋ）のテーブルである。例えば、乱数又はラッキーナンバー２２６を４桁とした場合、後で説明するように、今回指示数又は差引（使用電力量）の下４桁と一致した場合には低減率Ｋを２０％に設定してあり、同様に今回指示数又は差引（使用電力量）の下２桁と一致した場合には低減率Ｋを１０％に設定してある。ここでは、ラッキーナンバー２２６としては、各顧客の誕生日の月日、結婚記念日の月日、電話番号、住所の何番地何号、任意に届け出た数字に関して、下４桁の場合と下２桁の場合とを挙げている。これらは例示であって、更に異なる事象に起因する数字、異なる桁数（例えば、上４桁、上２桁）、数字等を採用することが出来る。
【００４８】
これら図８〜図１０に示したデータに関しては、以下に電力料金計算方法を説明する際に、詳述する。
【００４９】
再び図１を参照すると、金融機関のコンピュータシステム１２が、電力供給者のホストコンピュータシステム４と接続され、ホストコンピュータシステム４から電力料金計算結果を得て、電力料金回収業務を担っている。最近では、金融機関に限らず、コンビニ等でも簡易的なコンピュータシステム、情報端末等を備え、同様の電力料金回収業務を行っている。
【００５０】
図１の電力料金計算システムは例示であることを承知されたい。電力供給者によっては、料金計算センターのコンピュータシステム９、ホストコンピュータシステム４及び顧客センターのコンピュータシステム３に関し、任意の２つのシステム又は全部のシステムが統合され、同一のシステムで運用している場合もある。このような場合でも、くじ的要素を加味した電力料金計算が実行出来る限り、本実施例となる。
［電力料金計算方法］
次に、図１に示す電力料金計算システムで実行されるくじ的要素を加味した電力料金計算方法に関して説明する。図１に示す電力料金計算システムでは、顧客１が使用した電力料金を、くじ的要素を加味した電力料金計算方法によって算出し、各顧客１に通知し、各顧客１より回収し、更にこれらの運営全体を管理している。
【００５１】
図１１は、電力検針、くじ的要素を加味した電力料金計算、電力料金回収及びこれら管理手順を示す図である。
【００５２】
先ず、手順Ｓ１０１で、顧客１は、自己の工場、商店、家屋を新設等した際に、電力供給会社の顧客センターにて、電力使用の契約を行う。この際に、顧客１は自己の情報（顧客情報）を顧客センターに提供する。この顧客情報には、少なくとも顧客名、電力使用場所（これに関連して、所望により郵便番号、電話番号を含むこともある。）、契約種別（工場用の大口電力、商店用の中規模電力、家庭用の小口電力等の種別）、契約容量（４０アンペア、５０アンペア、６０アンペア等の最大使用容量の区別）が含まれている。さらに、本実施形態に係るくじ的要素を加味した電力計算システムでは、顧客了解の下に、ラッキーナンバー２２６として、例えば、世帯構成員全員の誕生日、結婚記念日、電話番号又は住所等に基づく４桁の数字、或いは顧客が任意に特定した４桁の番号等を届け出る。これら顧客情報は、顧客センターのコンピュータシステム３に入力される。
【００５３】
手順Ｓ１０２で、こうして入力された顧客データは、顧客ＩＤが付され、顧客センターのコンピュータシステム３からホストコンピュータシステム４のデータベース６に蓄積される。こうして、顧客情報ファイル２２が作成され、図４に示す使用場所２２３、契約種別２２４、契約容量２２５、顧客が届け出たラッキーナンバー２２６等が記憶される。
【００５４】
手順Ｓ１０３で、現在では多くの顧客１は、金融機関等に対して、電力料金の自動振替（自動引き落とし）の依頼を行っている。これにより、顧客１は電力料金の自動支払いが可能となる。金融機関等のコンピュータシステム１２からホストコンピュータシステム４のデータベース６にある集金／未収情報ファイル２４（図６）に、自動振替の可否２４２、金融機関名２４３、口座番号２４４等のデータが記憶される。
【００５５】
手順Ｓ１０４で、顧客１が、所定期間（例えば、１ヶ月間）電力供給者から電力の供給を受けると、電力供給者の検針員が、携帯端末機７を持参しながら顧客１を訪問して、顧客１の工場、家屋等に設置された電力量計を検針する。この時、検針員は、顧客ＩＤ、今回指示数（検針データ）等の検針データを携帯端末機１に入力して料金計算センターのコ
ンピュータシステム９に送信する。
【００５６】
手順Ｓ１０５で、これら検針データは、料金計算センターのコンピュータシステム９から、ホストコンピュータシステム４に送信され、データベース６にある検針情報ファイル２３（図５）に、今回検針日２３３、今回指示数２３５等として記録される。
【００５７】
手順Ｓ１０６で、料金計算センターのコンピュータシステム９は、ホストコンピュータシステム４のデータベース６に蓄積された各種データを参照しながら、くじ的要素を加味した電力料金の計算を実行する。
【００５８】
図１２は、本実施形態に係るこのくじ的要素を加味した電力料金計算方法を全体的に説明するフローチャートである。
【００５９】
手順Ｓ１２０で、基本料金部分が決定される。具体的には、料金計算センターのコンピュータシステム９から、図１３に示すように、Ｓ１２１で顧客ＩＤを入力（設定）し、Ｓ１２２でデータベース６の顧客データ（図４）の契約種別２２４を読み込み、Ｓ１２３で契約容量２２５を読み込み、Ｓ１２４で基本料金テーブル（図８）を検索し、Ｓ１２５で基本料金を決定する。この基本料金は、データベース６の料金計算マスタファイル２１に基本料金２１４として記憶される。
【００６０】
図１２に戻って手順Ｓ１３０で、電力使用量が決定される。具体的には、料金計算センターのコンピュータシステム９から、図１４に示すように、Ｓ１３１で顧客ＩＤを入力（設定）し、Ｓ１３２でデータベース６の検針データ（図５）から今回指示数２３５を読み込み、Ｓ１３３で前回指示数２３６を読み込み、Ｓ１３４で差引（使用電力量）を今回指示数から前回指示数を引き算することにより算出し、Ｓ１３５で電力使用量を決定し、Ｓ１３６で使用電力量料金データ（図９）から使用料金単価を検索し、Ｓ１３７で電力使用量と単価から使用料金部分を決定する。
【００６１】
図１２に戻って手順Ｓ１４０で、使用料金部分の算出がなされる。具体的には、料金計算センターのコンピュータシステム９から、図１４に示すように、Ｓ１３１で顧客ＩＤを入力（設定）し、Ｓ１３２でデータベース６の検針データ（図５）から今回指示数２３５を読み込み、Ｓ１３３で前回指示数２３６を読み込み、Ｓ１３４で今回指示数と前回指示数の差分から電力使用量である差引を求め、Ｓ１３５でこの差引から電力使用量を決定し、Ｓ１３６で使用電力料金データ（図９）から単価を検索し、Ｓ１３７で使用料金部分を決定する。
【００６２】
図１２に戻って手順Ｓ１５０で、基本料金部分及び使用料金部分が算出された段階で、くじ的要素を加味した処理が行われる。
【００６３】
図１５を参照しながら、くじ的要素を加味した処理に関して説明する。Ｓ１３０で電力使用量を決定する段階で、今回指示数２３５及び差引２３７が特定されている。図１５では、この今回指示数を符号１５１とし、差引を符号１５２とする。選択手段１５３で、操作入力によりこの内のいずれか一方を選択する。選択の基準は予め定められ、任意である。また、両方の数字を使用しても良い。
【００６４】
データベース６の顧客データ（図４）には、誕生日、結婚記念日等のラッキーナンバー２２６が蓄積されている。図１５では、このラッキーナンバーを符号１５４で表示する。
【００６５】
更に、ラッキーナンバー以外に乱数発生手段１５５が備えられている。近年、乱数発生手段としては種々のものが知られている。ハードウェアで構成されたもの、或いはソフト
ウェアで構成されたもの何れも採用できる。乱数としては、取り得る全ての値を同じ割合で発生させる一様乱数でもよく、平均値の周りにばらつく確率現象に従った正規乱数であってもよい。
【００６６】
選択手段１５６では、操作入力によりラッキーナンバー１５４及び乱数発生手段１５５で生成された乱数の内のいずれか一方を選択する。選択の基準は予め定められ、任意である。また、両方の数字を使用しても良い。
【００６７】
比較手段１５７で、選択手段１５３からの差引又は今回指示数に基づく数字（４桁又は２桁）と選択手段１５６からの例えば乱数又はラッキーナンバーに基づく数字（４桁又は２桁）が比較される。一致した場合、処理１５９で電力料金に低減率の基づく係数（１−Ｋ）が乗算されて、最終的な電力料金請求額が決定される。図１０に関連して説明したように、比較対象の数字であるラッキーナンバー又は乱数の４桁と、被比較対象の差引又は今回指示数の４桁とが一致した場合には２０％の割引、夫々の２桁が一致した場合には１０％の割引するように、一致する確率の困難性に連動して割引率を高くすることも出来る。
【００６８】
なお、不一致の場合は、処理１５８で算出通りの電力料金が請求となる。
【００６９】
図１２に戻り、Ｓ１６０で、以上の結果よりくじ的要素を加味した電力料金請求額が決定される。
【００７０】
再び図１１を参照すると、手順１０７で、料金計算センターのコンピュータシステム９は、電力料金の計算結果をホストコンピュータシステム４のデータベース６に蓄積された料金計算マスタデータ２１（図３）に電力料金２１８として蓄積する。
【００７１】
手順Ｓ１０８で、料金計算センターのコンピュータシステム９は、各々の顧客の請求電力料金のデータを金融機関等のコンピュータシステム１２に対して送信する。この送信は、専用回線又は通常のネットワーク８を介して行われる。なお、この送信は、ホストコンピュータシステム４から行うようにしてもよい。
【００７２】
金融機関に対して自動振替の依頼を行っていない顧客１に対しては、手順Ｓ１０９でホストコンピュータシステム４から顧客１に対して、請求書が郵便等を利用して送付される。或いは、手順Ｓ１１０で、金融機関等のコンピュータシステム１２から顧客１に対して、請求書が郵便等を利用して送付される。請求書の送付を、電力供給者で行うか、或いは金融機関等で行うかは、両者間の契約によって決まる。
【００７３】
金融機関等に対して既に自動振替の依頼を行っている顧客１の場合、手順Ｓ１１１で、その顧客の預金口座から請求金額が引き落とされる。自動振替の依頼を行っていない場合、その顧客は金融機関に出向いて電力料金の支払いを行う。
【００７４】
手順Ｓ１１６で、金融機関のコンピュータシステム１２は、この料金引落結果又は入金状況を、ホストコンピュータシステム４のホストコンピュータ５に対して送信し、ホストコンピュータ５はデータベース６に蓄積された集金／未収情報データ２４（図６）に自動振替状況２４５又は窓口入金状況２４６として記憶する。
【００７５】
電力供給者から請求書を受け取った顧客の場合（Ｓ１０９）、手順Ｓ１１４で、顧客センターに出向いて電力料金の支払いを行う。
【００７６】
手順Ｓ１１５で、顧客センターのコンピュータシステム４は、この料金徴収結果を、ホ
ストコンピュータシステム４のホストコンピュータ５に対して送信し、データベース６に蓄積された集金／未収情報ファイル２４（図６）に窓口入金状況２４６として記憶する。このようにして、顧客センター又は金融機関等から、料金徴収結果が集金／未収情報ファイル２４に蓄積される。
【００７７】
手順Ｓ１１７で、ホストコンピュータシステム４のホストコンピュータ５は、電力料金の入金が確認された後、適時、領収書１４を各顧客１宛に送付する。
【００７８】
上述したくじ的要素を加味した電力料金計算システム及び電力料金計算方法に加えて、上述した手順をコンピュータに読み込み可能且つ実行可能にしたプログラム及びこれを記録した記録媒体も本発明の対象である。
【００７９】
なお、低減率に基づく係数（１−Ｋ）を基本料金部分と使用料金部分の合計に対して乗算しているが、これに限定されない。係数（１−Ｋ）を基本料金部分又は使用料金部分のいずれか一方に対して乗算して、その部分のみ減額しても良い。
【００８０】
電力料金計算に、公共施設、福祉施設か否か等の他のパラメータを導入することも出来る。しかし、電力料金計算にくじ的要素を加味した計算が入っている限り、本発明の実施例である。
【００８１】
更に、くじで当たった電力使用者に対し、各種商品のサービスが考えられる。くじで当たった電力使用者に対し、(1)電力料金の減額と共に各種商品の提供を行う、(2)電力料金の減額はせずに、各種商品の提供を単独で行う、(3)一部の当選者には電力料金の減額を、残りの当選者には各種商品の提供を行う、等の組み合わせが採用し得る。この電力料金計算システムでは、各種商品の提供の場合、図１０の該当するラッキーナンバーに対応した料金低減率ＫをＫ＝１．０とし、提供商品のデータを追加して記憶しておくことで、このようなサービスに容易に対応できる。
【００８２】
ここで、上述したくじ的要素を加味した電力料金計算システムは例示であることを承知されたい。これ以外に、本発明は、他の公共料金、例えばガス料金、電話料金、水道料金等に対しても適用できる。これら各種の処理は、種々の情報処理システム、情報処理機器の発達と共に逐次変化し、例えばインターネット等のネットワークを利用した電子決済等を採用することも出来る。従って、当業者にとってシステムの必要に応じて改良・改変をなし得ることを承知されたい。このような状況下でも、本発明のくじ的要素を加味した電力料金計算を実行し得るシステムは全て本発明の実施例となり得る。本発明は、添付の特許請求の範囲によってのみ特定される。
【００８３】
（実施形態の効果）
本実施形態に依れば、一方の比較の対象として、誕生日、結婚記念日等の電力使用者に関する事象に基づく数字をラッキーナンバーとして採用しているので、電力使用者の関心を集めることが出来る。
【００８４】
本実施形態に依れば、一方の比較の対象として、乱数を採用しているので、電力料金低減を公平な手段で適用することが出来る。
【００８５】
本実施形態に依れば、他方の比較の対象として、差引又は今回指示数を採用しているので、電力使用者は、電力使用期間中は継続的に、くじ的要素を加味した電力料金算出方法を楽しむことが出来る。
【００８６】
本実施形態に依れば、電力供給体制にも自由化のもとでも、電力供給会社も、電力使用
者に対して魅力ある存在となっていくことが出来る。
【００８７】
本実施形態に依れば、基本的に公平な制度である従量制の下で、電力料金に関して少しでも魅力あるものにすることが出来る。
【００８８】
本実施形態に依れば、他の電力供給者と比較して、電力使用者の注目を集めるような電力料金計算システムを提供できる。
【図面の簡単な説明】
【００８９】
【図１】図１は、本実施例に係るくじ的要素を加味した電力料金計算システムの概要を示したブロック図である。
【図２】図２は、図１の電力料金計算システムで使用されるデータベースの一例を示す図である。
【図３】図３は、図２のデータベースに蓄積された料金計算マスタデータの一例を示す図である。
【図４】図４は、図２のデータベースに蓄積された顧客データの一例を示す図である。
【図５】図５は、図２のデータベースに蓄積された検針データの一例を示す図である。
【図６】図６は、図２のデータベースに蓄積された集金／未収データの一例を示す図である。
【図７】図７は、図２のデータベースに蓄積された販売実績データの一例を示す図である。
【図８】図８は、図２のデータベースに蓄積され、電力料金の計算に使用される基本料金テーブルの一例を示す図である。
【図９】図９は、図２のデータベースに蓄積され、電力料金の計算に使用される使用料金部分の単価の一例を示す図である。
【図１０】図１０は、くじ的要素を加味した電力料金計算方法に使用される乱数及びラッキーナンバーの例示であり、これに対する料金低減率Ｋが規定されている。
【図１１】図１１は、図１の電力料金計算システムで実行される電力検針、使用電力料金、電力料金回収及びこれら管理手順を示す図である。
【図１２】図１２は、くじ的要素を加味した電力料金計算方法のフローを示す図である。
【図１３】図１３は、図１２のくじ的要素を加味した電力料金計算方法のフローのステップＳ１２０の基本料金部分の決定処理に関する詳細なフローを示す図である。
【図１４】図１４は、図１２のくじ的要素を加味した電力料金計算方法のフローのステップＳ１３０の電力使用量の決定処理に関する詳細なフローを示す図である。
【図１５】図１５は、図１２のくじ的要素を加味した電力料金計算方法のフローのステップＳ１５０のくじ的要素の加味関する説明図である。
【符号の説明】
【００９０】
１：顧客、  ３：顧客センターのコンピュータシステム、  ４：ホストコンピュータシステム、  ５：ホストコンピュータ、  ６：データベース、  ７：携帯端末機、  ８：ネットワーク、  ９：料金計算センター、  １２：金融機関等、  １４：領収書、
【図１】
2005108049.tif 000003
【図２】
2005108049.tif 000004
【図３】
2005108049.tif 000005
【図４】
2005108049.tif 000006
【図５】
2005108049.tif 000007
【図６】
2005108049.tif 000008
【図７】
2005108049.tif 000009
【図８】
2005108049.tif 000010
【図９】
2005108049.tif 000011
【図１０】
2005108049.tif 000012
【図１１】
2005108049.tif 000013
【図１２】
2005108049.tif 000014
【図１３】
2005108049.tif 000015
【図１４】
2005108049.tif 000016
【図１５】
2005108049.tif 000017